(57)【要約】      （修正有）【課題】角形バターのような食品を持上げて、パンなどに均一に塗ることを可能としたり、他の個所へ容易かつ確実に移動することができる食品持上げ移動装置を提供する。【解決手段】一端に取っ手１３を備え、下面には複数の突起ピン１４が垂直に立設され、中央には貫通孔１６が設けられた上坂１１と、上板と平行に配置され、上板の突起ピンに対応した個所に突起ピンが貫通する貫通孔１５が設けられ、上面中央には上板に設けられている貫通孔を貫通する円柱体１７が立設され、円柱体の上端には円柱体の直径より径大の押圧板１８が設けられている下板１２とから構成される。取っ手を持って下坂を角形バターに接触させ下方へ押し付ける。下坂は上坂に向かって上昇し、上坂の突起ピンがバターに突き刺さる。バターの残量が少なくなると指で押圧板を押して残ったバターを下方へ押し出すことにより、全てのバターをパンに塗ることができる。【選択図】図１
0003192133.tif 000002
【実用新案登録請求の範囲】
【請求項１】
一端に取っ手を備えた上板であって、前記上板の下面には複数の突起ピンが下面に垂直に立設されており、前記上板の中央には貫通孔が設けられており、
前記上板と平行に配置された下板であって、前記下板には前記上板の突起ピンに対応した個所に前記突起ピンが貫通する貫通孔が設けられており、前記下板の上面中央には前記上板に設けられている貫通孔を貫通する円柱体が立設されていて、前記円柱体の上端には前記円柱体の直径より径大の押圧板が設けられていることを特徴とする食品持上げ移動装置。
【請求項２】
前記食品は、角形バターであることを特徴とする請求項１記載の食品持上げ移動装置。
【考案の詳細な説明】
【考案の詳細な説明】
【技術分野】
【０００１】  本考案は、バター等の食品を突き刺して持上げ、その後食品を下方にあるパン等に塗布したり、所定の位置へ移動させたりすることを可能した食品持上げ移動装置に関する。
【背景技術】
【０００２】  例えば、レストラン等でパンに塗るバターは、一つ一つが角形に整形されており、複数の角形バターは皿上に置かれたり各種の容器に入れられている。顧客はパンに角形バターを塗る際には、テーブルに用意されているいわゆるバターナイフと呼ばれる平たく長いナイフ状の器具を用いて角形バターを取上げ、パンに塗る。また、サンドイッチ等を作成する厨房内にあっても、調理人は上記と同様のバターナイフを用いて角形バターをパンに塗る作業を行っている。
【考案の概要】
【考案が解決しようとする課題】
【０００３】  上記背景技術に示したように、角形バターをパンに塗るためには、レストランの顧客であっても厨房内の調理人であっても、バターナイフを用いている。しかしながら、このバターナイフを用いる場合、先ず角形のバターを細長く平坦なバターナイフの上に載せなければならず、落とさないように多大の神経を使うことになる。更に、バターナイフ上に載せた角形バターをパンの表面に短時間で所定の厚さに塗ることには困難を伴っていた。
【課題を解決するための手段】
【０００４】  本考案に係る食品持上げ移動装置は、一端に取っ手を備えた上板であって、前記上板の下面には複数の突起ピンが下面に垂直に立設されており、前記上板の中央には貫通孔が設けられており、前記上板と平行に配置された下板であって、前記下板には前記上板の突起ピンに対応した個所に前記突起ピンが貫通する貫通孔が設けられており、前記下板の上面中央には前記上板に設けられている貫通孔を貫通する円柱体が立設されていて、前記円柱体の上端には前記円柱体の直径より径大の押圧板が設けられていることを特徴とする。
【考案の効果】
【０００５】  角形バターのような食品を困難を伴うことなくだれでも容易に持上げて移動でき、パンなどに常に均一に塗ることを可能としたり、他の個所へ容易かつ確実に移動することができる。
【図面の簡単な説明】
【０００６】
【図１】本考案の実施形態を示した図であって、図１（ａ）（ｂ）は異なる動作状態時の側面図であり、図１（ｃ）は下面図であり、図１（ｄ）は上面図である。
【図２】本考案の実施形態の動作を説明するための図。
【考案を実施するための形態】
【０００７】  本考案に係る食品持上げ移動装置１０の一実施形態を図１（ａ）〜（ｄ）を用いて説明する。それぞれ正方形の同一外形の上板１１と下板１２を有し、上板１１の側端には斜め上方に延びるように取っ手１３が一体に形成されている。上板１１の下面には図１（ｃ）からもわかるように、両側に３本づつ６本、中央に２本の突起ピン１４が上板１１の下面に垂直に立設されている。また、上板１１の中央には貫通孔１６が形成されている。
【０００８】  下板１２には、上記した突起ピン１４に対応する位置に８個の貫通孔１５が設けられており、この貫通孔１５の直径は突起ピン１４の挿入を阻害しない寸法になっている。更に、下板１２の中央であって、上板１１の貫通孔１６に対向する位置には、円柱体１７が下板１２に垂直に立設されている。そして、円柱体１７は上板１１に設けられている貫通孔１６に挿入されている。貫通孔１６の直径は、円柱体１７の挿入を阻害しない寸法となっている。円柱体１７の上端には、円柱体１７より径大の円板状の押圧板１８が設けられている。
【０００９】  このような構成の本考案に係る食品持上げ移動装置１０の動作については、図２を参照して後述するが、常時は図１（ｂ）に示すように下板１２は、自重によって下方に降下している。下板１２は、円柱体１７の上端に設けられた押圧板１８によって係止され、落下することはない。また、突起ピン１４と貫通孔１５、並びに円形体１７と貫通孔１６とは、互いに摩擦等による挿入阻害がないよう貫通孔１５、１６の径が大径に設定されているため、下板１２は図１（ｂ）のように自然降下した状態を維持する。従って、図１（ａ）に示すように下板１２が自然に上方に留まることはなく、装置の構成を説明するために示したものである。
【００１０】  次に本考案に係る食品持上げ移動装置１０の動作を図２を参照して説明する。本例における対象食品として角形バター１９を用いた。角形バター１９を本考案に係る食品持上げ移動装置１０にて持上げ、この持上げられたバター１９を図示しないパンに塗ることを想定している。なお、図２（ｃ）においては、本来図示されるべき突起ピン１４の内、円柱体１７の正面にある突起ピンを、説明のうえで視覚的に雑然とするため図示を省略した。
【００１１】  図２（ａ）にあるように、先ず食品持上げ移動装置１０を角形バター１０の上方へ持っていく。この状態では下板１２は自重によって最下端まで降下している。次に、装置１０の取っ手１３を持って下板１２を下方の角形バター１９の真上にバターと平行に配置する。そして、下板１２の下面を角形バター１９の上面に接触させそのまま取っ手１３を持って下板１２を下方へ押しつける。
【００１２】  その結果、下板１２は上板１１に向かって上昇し、図２（ｂ）に示すように上板１１と下板１２は接触状体となり、上板１１の下面に立設している全ての突起ピン１４が下板１２の貫通孔１５から突出して角形バター１９に突き刺さる。角形バター１９は突起ピン１４によって保持され、取っ手１３を持ってバターを塗るべき図示しないパンの位置まで移動させる。そして、角形バター１９を装置１０に保持した状態でパンに塗る。図２（ｃ）に示すように、角形バター１９の残量が少なくなると指で押圧板１８を押して下板１２を下げることにより、残ったバターを下方へ押し出すことにより、保持した全てのバターをパンに塗ることができる。
【００１３】  上記例では対象食品としてバターを用いこれをパンに塗ることを説明したが、本考案に係る食品持上げ移動装置１０は、これに限ることなく、他の食品を持上げていずれかへ移動させて、食品を何かに塗ったり、移動した位置にて装置１０から離すように利用することにも利用できる。また、装置１０の構成として押圧板１８と上板１１との間の円柱体１７にバネを介在させてもよい。
【符号の説明】
【００１４】１０…食品持上げ移動装置、１１…上板、１２…下板、１３…取っ手、１４…突起ピン、１５、１６…貫通孔、１７…円柱体、１８…押圧板、１９…角形バター。
【図１】
0003192133.tif 000003
【図２】
0003192133.tif 000004